(57)【特許請求の範囲】
【請求項１】
遊技盤の裏面に装着した機構板にターミナルボックスが装着され、前記ターミナルボックス内にはコネクタの接続端子、スピーカー端子、発射モータ電源端子等の電気部品を設けた配線基板が配置されるパチンコ機において、
前記ターミナルボックスは周囲を側枠で囲い後面を開放したカバー本体と該カバー本体内にあらかじめ固定された前記配線基板とからなり、前記機構板には、前記ターミナルボックスを取り付ける際に先端面が前記配線基板に当接してその裏側から受け止める支持部を複数突設し、前記各接続端子にコネクタを取り付けるとき前記配線基板が撓まないようにしたことを特徴とするパチンコ機。
【請求項２】
前記ターミナルボックスの裏面に支持部を突設し、前記支持部に前記配線基板を止着するようにして前記各接続端子にコネクタを取り付けるとき前記配線基板が撓まないようにした請求項１記載のパチンコ機。
【請求項３】
前記支持部は前記コネクタが接続される接続端子の回り近くに位置している請求項１又は２記載のパチンコ機。
【発明の詳細な説明】
【０００１】
【発明の属する技術分野】
本発明は、遊技盤の裏面に装着される機構板に、配線基板を配置したターミナルボックスを装着してなるパチンコ機に関するものである。
【０００２】
【従来の技術】
一般にパチンコ機における前面枠には、大当り表示用ランプ，発射装置の駆動モータ等の電気的作動機器が設けられている。また、遊技盤上には景品球タンクの球切れランプ，入賞球ランプの他に電気的に駆動制御されて遊技球を入賞し易くする大型の変動入賞装置や電気的に表示状態を変化可能な可変表示器等の電気的作動機器が装着されており、遊技盤の裏面には上述の各種電気的作動機器を駆動制御するための回路基板を収納した基板ボックスが装着されている。
これと関連して、機構板には前面枠および遊技盤に設けられた各種電気的作動機器から引き出された複数の配線がコネクタを介して接続されるターミナルボックスを装着している。
前記ターミナルボックスは、例えば図８に示すように機構板１０１の上部の所定位置に取付けられる。すなわち、機構板１０１には左右２箇所に中心にそれぞれ螺子孔１０２を設けた軸筒１０３，１０３…を突設してなり、一方、ターミナルボックス１０４にはその上面で前記各軸筒１０３，１０３…と対応する位置にそれぞれ透孔１０５を設け、各軸筒１０３，１０３…に各透孔１０５，１０５…を合致させ、逐一ビス１０６を各軸筒１０３，１０３…に螺締して取付けていた。また、ターミナルボックス１０４にはその中に配線基板１０７が配置され、該配線基板１０７にトランジスタ１０８やヒューズ１０９と共に接続端子１１０等の電気部品が設けられている。
【０００３】
【発明が解決しようとする課題】
前記ターミナルボックス１０４にあっては、例えば配線基板１０７がしっかり固定されてないと、配線端部のコネクタを前記接続端子１１０に接続する際、コネクタを接続端子すなわち配線基板側に押し付けることとなるので、無用に撓んでともすると配線基板１０７が破損するといった課題が有った。
そこで、本発明は上記課題に鑑みなされたもので、その目的とするところはコネクタ接続時などに配線基板が撓みすぎて破損しないようにしたパチンコ機におけるターミナルボックスの取付構造を提供せんとするものである。
【０００４】
【課題を解決するための手段】
かかる目的を達成するため、本発明に係るパチンコ機は、遊技盤の裏面に装着した機構板にターミナルボックスが装着され、前記ターミナルボックス内にはコネクタの接続端子、スピーカー端子、発射モータ電源端子等の電気部品を設けた配線基板が配置されるパチンコ機において、前記ターミナルボックスは周囲を側枠で囲い後面を開放したカバー本体と該カバー本体内にあらかじめ固定された前記配線基板とからなり、前記機構板には、前記ターミナルボックスを取り付ける際に先端面が前記配線基板に当接してその裏側から受け止める支持部を複数突設し、前記各接続端子にコネクタを取り付けるとき前記配線基板が撓まないようにした構成よりなる。
【０００５】
また、この場合、ターミナルボックスの裏面に支持部を突設し、該支持部に配線基板を止着するようにすることが好ましい。更に、前記支持部はコネクタが接続される接続端子の回り近くに位置することが好ましい。
【０００６】
ターミナルボックスの取付構造としては、遊技盤裏面の機構板に、配線基板が配置されたターミナルボックスを装着してなるパチンコ機において、前記ターミナルボックスは周囲を側枠で囲い後面を開放したカバー本体からなり、前記側枠には先端に鉤状部を設けた係止片を複数設け、一方、前記機構板に各鉤状部に対応させて係合孔を設け、前記各鉤状部を各係合孔に係合させることによりターミナルボックスを機構板に取付けるようにし、前記各係止片はその鉤状部が配線基板より後方に位置しかつ撓んだとき前記配線基板に触れないように設けられてい構成、または遊技盤裏面の機構板に、配線基板が配置されたターミナルボックスを装着してなるパチンコ機において、前記ターミナルボックスは周囲を側枠で囲い後面を開放したカバー本体からなり、前記一方の側枠に先端に鉤状部を設けた係止片を設け、他方の側枠に撓んだとき前記配線基板に触れない係止片を設け、前記他方の側枠の係止片はその鉤状部が配線基板より後方に位置し、一方、前記機構板には各鉤状部に対応させて係合孔を設け、前記各鉤状部を各係合孔に係合させることによりターミナルボックスを機構板に取付けるようにした構成が採られる。
【０００７】
【発明の実施の形態】
以下、本発明に係るパチンコ機の実施の形態を図面に基づき説明する。図１はパチンコ機１の裏面図を示し、２は前面枠であり、該前面枠２の裏面には遊技盤取付枠３が固着され、また、該遊技盤取付枠３には遊技盤４が着脱自在に装着される。更に、前記前面枠２の裏面下部には打球発射用のモータ５が装着されている。
【０００８】
前記遊技盤取付枠３の一側には合成樹脂製の機構板６が開閉自在に装着され、該機構板６には遊技盤４の裏面に相対する板状部６ａの前面に入賞球集合カバー７が収容される球寄せ空間８が形成され、その球寄せ空間８の下方部に入賞球集合通路９を形成している。
一方、前記板状部６ａの裏面上部には景品球タンク１０が設けられる。該景品球タンク１０の下方には、景品球を整列して導き出す樋レール１１が形成され、この樋レール１１の下端には景品球払出装置１２が配設される。また、前記入賞球集合通路９の終端部分には入賞球排出処理装置１３が設けられる。この入賞球排出処理装置１３は、モータ１４の駆動で往復回動するカム部材１５により、入賞球集合通路９に集められた入賞球を１個ずつ排出通路１６に排出すると同時にリンク機構を動かして景品球払出装置１２を作動し、所定数の景品球を排出樋１７を介して遊技盤４前面に排出するようにしている。また、前記板状部６ａのほぼ中央部には相対的に大きな窓孔１８が形成される。この窓孔１８は、入賞球集合カバー７よりやや小さく開口されていてパチンコ機１の動作状態を制御するための回路基板を収納した基板ボックス１９を突出させている。
【０００９】
更に、前記機構板６には、板状部６ａの裏面下部の所定位置にターミナルボツクス２０が取付けられている。該ターミナルボツクス２０には入賞球排出処理装置１３のモータ１４などの各種電気的作動機器からの配線が接続される。また、前記板状部６ａの上部の所定位置にもターミナルボツクス２１が取付けられている。そして、前記ターミナルボツクス２０からコネクタ２２を介して引き出される配線は窓孔１８の周縁に沿って形成された溝状の配線収納部２３内を通り上部のターミナルボツクス２１にコネクタ２４を介して接続される。
【００１０】
しかして、前記機構板６の上部に取付けられるターミナルボツクス２１は、図２乃至図４に示すように長方形状の前面板２５の一側に膨出段部２６を形成し、それら周囲を側枠２７で囲い後面を開放した合成樹脂製のカバー本体２８から成る。該カバー本体２８内には配線基板２９があらかじめ固定される。該配線基板２９は、前記膨出段部２６の裏面に突設される螺子孔を有した支持部としての支持筒３０の後端面に当接し、該後端面にビス３１止めすることにより止着されている。また、その前面には前面板２５に形成される各開孔２５ａを介して外部に露出するトランジスタ３２，３２，各種抵抗器３３，３３…、主電源配線用ヒューズ３４、前記コネクタ２４が接続される接続端子３５等の電気部品がそれぞれ設けられている。
また、膨出段部２６上面にも開孔２６ａを介して不正検知情報の配線用接続端子３６，大当り情報の配線用接続端子３７，補給情報の配線用接続端子３８，及び発射装置制御の配線用接続端子３９がそれぞれ設けられている。
【００１１】
そして、前記下部側枠２７ａの外側面にはその両側に先端に鉤状部４０，４０を設けた係止片４１ａ，４１ａを突設し、また上部側枠２７ｂの外側面にもその両側に先端に鉤状部４０，４０を設けた係止片４１ｂ，４１ｂを突設している。ただし、これら係止片４１ｂ，４１ｂは前記係止片４１ａ，４１ａより若干長く形成され、しかも上部側枠２７ｂより外側に設けられている。
【００１２】
一方、機構板６には前記ターミナルボツクス２１と略同じ大きさの長方形状の囲枠４２が形成されており、該囲枠４２内には四隅部にそれぞれ該囲枠４２の先端縁より突出しターミナルボツクス２１を取り付けたとき先端面が配線基板２９に当接する支持部としての支持筒４３，４３…が突設されている。また、前記囲枠４２のうち下部囲枠４２ａの両側外面には前記ターミナルボツクス２１の下部側枠２７ａに設けた各係止片４１ａ，４１ａと対応する位置に係合孔４４，４４を設けた係止部４５ａ，４５ａが設けられている。該各係合孔４４，４４は下部囲枠４２ａに設けた切欠部４６，４６を介して連通している。更に、上部囲枠４２ｂの両側外面には各係止片４１ｂ，４１ｂと対応する位置に係合孔４４，４４を設けた係止部４５ｂ，４５ｂが設けられるが、これら係止部４５ｂ，４５ｂは前記係止片４１ｂ，４１ｂが係止片４１ａ，４１ａより長いため、その分前記係止部４５ａ，４５ａより前方へ位置をずらせて形成されている。
【００１３】
次に、上記構成よりなるターミナルボツクス２１の取付方法について説明する。まず、ターミナルボツクス２１を係止片４１ａ，４１ａを下側にして機構板６の囲枠４２に対向位置させ、前記各係止片４１ａ，４１ａ先端の鉤状部４０，４０を切欠部４６，４６を介して各係止部４５ａ，４５ａの係合孔４４，４４に係合させる。次に、前面板２５の上側面を押して係止片４１ｂ，４１ｂ先端の鉤状部４０，４０を各係止部４５ｂ，４５ｂの係合孔４４，４４に押し込み係合させる。この際、各鉤状部４０，４０は係止片４１ｂ，４１ｂの弾性に抗して係合することになり、係合した後はターミナルボツクス２１をしっかりと固定する。また、内部の配線基板２９は、四隅部を前記支持筒４３，４３…により受け止められて押圧され、反対側がビス３１止めされた支持筒３０によって受け止められることとなり、これによりガタ付くことなくしっかりと固定される。よって、前記接続端子３５に配線先端のコネクタ２４を接続する場合でも配線基板２９が大きく撓むようなことが無く、その破損を防止できる。この場合、図４に示されるようにコネクタ２４が接続される接続端子３５の回り近くに支持筒３０，４３が位置することが好ましい。
【００１４】
また、ターミナルボツクス２１を取外すには、上部側枠２７ｂの各係止片４１ｂ，４１ｂをその弾性に抗して押圧して、両係合孔４４，４４から両鉤状部４０，４０を抜き取り、続いて下部側枠２７ａの各係合孔４４，４４から鉤状部４０，４０を抜き取る。このように係止片４１ａ，４１ｂを設け、その先端の鉤状部４０を係合孔４４に係合させるようにしたので、係合する際、係止片４１ｂ，４１ｂが弾力的に撓み、鉤状部４０が簡単に係合でき、ターミナルボツクス２１の取付け取外し作業が容易に行なえることとなる。
【００１５】
図５は、ターミナルボックス２１において上部側枠２７ｂの各係止片４１ｂ，４１ｂの根元部に切欠き５５，５５を設けると共に機構板６側にも、上部囲枠４２ｂに係合孔４４，４４と連通する切欠き５６，５６を設けて構成されており、このような手段を採っても前記と同様にターミナルボックス２１を機構板６に容易に取付け又は取外しできる。
【００１６】
図６と図７は機構板６の下部に装着されるターミナルボツクス２０の取付構造を示す。該ターミナルボツクス２０も前面板２５’の周囲を側枠２７’で囲い後面を開放した合成樹脂製のカバー本体２８’から成り、該カバー本体２８’内には配線基板２９’が配置されている。該配線基板２９’は、前記前面板２５’の裏面に突設され螺子孔を有した支持筒３０の後端面に当接し、該後端面にビス３１止めすることにより止着されている。また、該配線基板２９’には前面板２５’の各開孔２５’ａ，２５’ａ…を介して外部に露出する役物電源供給端子４７，スピーカー端子４８、玉切りモータ端子４９等又は発射モータ電源端子５０がそれぞれ設けられている。５１はコネクタ２２を介して前記ターミナルボツクス２１へ配線を接続するための接続端子である。
【００１７】
そして、前記右側枠２７’ａの外側面には略中央に先端に鉤状部４０を設けた係止片５２ａを一体に延設し、また左側枠２７’ｂの外側面にはその両側に先端に鉤状部４０，４０を設けた２本の係止片５２ｂ，５２ｂを一体に延設している。また、機構板６には前記ターミナルボツクス２０と略同じ大きさの平板部５３が形成され、該平板部５３の四隅部にはそれぞれ前記と同様ターミナルボツクス２０内の配線基板２９’を受け止めることができる支持部としての支持筒５４，５４…が突設されている。また、平板部５３の右側には前記係止片５２ａと対応する位置に係合孔４４が開設され、また左側には前記両係止片５２ｂ，５２ｂと対応する位置に同じく２個の係合孔４４，４４を開設している。
【００１８】
そして、まず左側の両係合孔４４，４４に各係止片５２ｂ，５２ｂ先端の鉤状部４０，４０を係合させ、続き右側の係合孔４４に係止片５２ａを押し込んで係合させる。この場合も、内部の配線基板２９’は、四隅部を前記支持筒５４，５４…により受け止められ、反対側がビス３１止めされた支持筒３０によって受け止められるので、ガタ付くことなくしっかりと固定される。よって、この場合も前記接続端子５１に配線先端のコネクタ２２を接続するに配線基板２９’が大きく撓むようなことが無く、その破損を防止できる。また、ターミナルボツクス２０を取り外す時は、右側の係止片５２ａをその弾発力に抗して押さえ係合孔４４から鉤状部４０を抜き取り、続いて左側の係合孔４４，４４から鉤状部４０，４０を抜くようにする。これにより、前記と同様、ターミナルボックス２０の取付け取外し作業が容易に行なえる。
【００１９】
【発明の効果】
以上のように、本発明によれば、機構板に、ターミナルボックス内に配置される配線基板を裏側から受け止めることができる支持部を複数突設したので、接続端子にコネクタを取り付けるとき前記配線基板が大きく撓むようなことが無く、これにより配線基板が破損するといった事故をなくすことができる。
【００２０】
ターミナルボックスの裏面に支持部を突設し、該支持部に配線基板を止着するようにすれば、前記支持部により配線基板を保持すると共にその撓みを更に抑えることとなるので、配線基板の破損事故防止効果が格段に向上する。
【図面の簡単な説明】
【図１】  本発明に係るパチンコ機の裏面図。
【図２】  ターミナルボツクスが取付けられた機構板の要部の斜視図。
【図３】  ターミナルボツクスを取外して示す機構板の要部の斜視図。
【図４】  図２におけるＸーＸ線拡大断面図。
【図５】  係止片の他の使用例を示すターミナルボックスの斜視図。
【図６】  他の実施例のターミナルボツクスを取外して示す機構板の要部斜視図。
【図７】  同ターミナルボツクスが取付けられた状態を示す機構板の要部拡大断面図。
【図８】  従来のターミナルボツクスを取外して示す機構板の要部の斜視図。
【符号の説明】
１                パチンコ機
６                機構板
２０，２１        ターミナルボツクス
２２、２４        コネクタ
２７              側枠
２８              カバー本体
２９、２９’      配線基板
３０              支持部（支持筒）
３５              接続端子
４３              支持部（支持筒）
４８              スピーカー端子
５０              発射モータ電源端子
【図１】
0003660204.tif 000002
【図２】
0003660204.tif 000003
【図３】
0003660204.tif 000004
【図４】
0003660204.tif 000005
【図５】
0003660204.tif 000006
【図６】
0003660204.tif 000007
【図７】
0003660204.tif 000008
【図８】
0003660204.tif 000009